(57)【要約】【課題】構造物への緊張力の導入する緊張材として、信頼性の高いＰＣケーブルを提供する。【解決手段】保護管１０と、保護管１０内に配設された複数本のＰＣ鋼より線１１，１１，…とを備えるＰＣケーブル１であって、ＰＣ鋼より線１１は正六角形断面の被覆部材により被覆されて六角柱状に形成されており、複数本のＰＣ鋼より線１１，１１，…は、隣り合う他のＰＣ鋼より線１１と側面同士を突き合わせることで、隙間なく束ねられている。【選択図】図２
2014224379.tif 000002
【特許請求の範囲】
【請求項１】
保護管と、
前記保護管内に配設された複数本のＰＣ鋼より線と、を備えるＰＣケーブルであって、
前記ＰＣ鋼より線は、被覆部材により被覆されて断面多角形状に形成されており、
前記複数本のＰＣ鋼より線は、隣り合う他のＰＣ鋼より線と側面同士を突き合わせた状態で、束ねられていることを特徴とする、ＰＣケーブル。
【請求項２】
前記ＰＣ鋼より線の断面形状が、正三角形、正方形、または、正六角形であることを特徴とする、請求項１に記載のＰＣケーブル。
【請求項３】
前記被覆部材が、樹脂であることを特徴とする、請求項１または請求項２に記載のＰＣケーブル。
【発明の詳細な説明】
【技術分野】
【０００１】
本発明は、構造物の緊張材として使用するＰＣケーブルに関する。
【背景技術】
【０００２】
橋梁上部工のポストテンション桁用外ケーブルや斜張橋の斜ケーブルには、一般的に複数本のＰＣ鋼より線を束ねたＰＣケーブルを使用する。
【０００３】
従来、ＰＣケーブル１００は、図４の（ａ）に示すように、ＰＣ鋼より線１１１を束ねた状態でシース管や外套管等の保護管１１０に挿入し、所定の緊張力を導入した後、保護管１１０内にＰＣ鋼より線１１１の防食を目的として保護管１１０内にセメントグラウト１１２を注入した状態で使用されている（例えば、特許文献１参照）。
【０００４】
ＰＣケーブル１００は、プレストレスト力を有効に断面に作用させることを目的として、蛇行させながら配置する場合がある。蛇行した状態のＰＣケーブル１００に緊張力を導入すると、緊張順番や不均一な内部摩擦の影響により、図４の（ｂ）に示すように、保護管内でＰＣ鋼より線１１１の位置に偏りが発生することで緊張力が断面内で不均一となり、設計通りの緊張力を得ることができないおそれがあった。
【０００５】
そのため、特許文献２には、緊張力の導入時に発生するＰＣ鋼より線１１１の偏りを防止することを目的として、ＰＣ鋼より線を保護管内において互いに接触しない間隔で配線した後、保護管内に充填材を充填し、この充填材が硬化した後に緊張力を導入するケーブルの配線方法が開示されている。
【先行技術文献】
【特許文献】
【０００６】
【特許文献１】特開平１０−１４８２７７号公報
【特許文献２】特開２００７−１０７２６４号公報
【発明の概要】
【発明が解決しようとする課題】
【０００７】
ところが、特許文献２のケーブルの配線方法では、ＰＣ鋼線同士が互いに接触しない間隔を保持するために、スペーサを適宜配置する必要があるため、その設置作業に手間がかかる。
また、ＰＣ鋼線同士の間隔や、スペーサとの位置関係などにより、保護管内への充填材の充填が不十分になるおそれもあった。
【０００８】
このような観点から、本発明は、構造物への緊張力の導入する緊張材として、信頼性が高く、施工時の手間の低減化も可能としたＰＣケーブルを提供することを課題とする。
【課題を解決するための手段】
【０００９】
前記課題を解決するために本発明は、保護管と、前記保護管内に配設された複数本のＰＣ鋼より線とを備えるＰＣケーブルであって、前記ＰＣ鋼より線は被覆部材により被覆されて断面多角形状に形成されており、前記複数本のＰＣ鋼より線は隣り合う他のＰＣ鋼より線と側面同士を突き合わせた状態で束ねられていることを特徴としている。
【００１０】
かかるＰＣケーブルによれば、ＰＣ鋼より線同士が隙間なく束ねられているため、緊張力を導入しても、位置のずれが生じ難く、また、ＰＣ鋼より線同士の位置関係も延長方向で変化し難くなる。
そのため、断面内における緊張力が均一となり、必要な断面力を確保することができる。
【００１１】
また、ＰＣ鋼より線を束ねるだけで、ＰＣ鋼より線の位置決めが完了するため、施工性にも優れている。
【００１２】
なお、前記ＰＣ鋼より線の断面形状は、正三角形、正方形、または、正六角形であることが好ましい。このようにすると、すべてのＰＣ鋼より線の断面形状を同一してもＰＣ鋼より線同士を隙間なく束ねることができる。
【００１３】
また、ＰＣ鋼より線との密着性、ＰＣ鋼より線に緊張力を導入した際のＰＣ鋼より線に追従する伸縮性、および、他のＰＣ鋼より線との密着性の観点から、前記被覆部材は、樹脂であることが望ましい。
【発明の効果】
【００１４】
本発明によれば、構造物への緊張力の導入する緊張材として、信頼性の高く、設置作業の手間の低減化を可能としたＰＣケーブルを提供することができる。
【図面の簡単な説明】
【００１５】
【図１】本発明の実施形態に係るポストテンション桁の一部分を示す斜視図である。
【図２】（ａ）は本実施形態のＰＣケーブルを示す断面図、（ｂ）は緊張後のＰＣケーブルを示す断面図である。
【図３】本実施形態のＰＣ鋼より線を示す斜視図である。
【図４】従来のＰＣケーブルを示す断面図であって、（ａ）は緊張前、（ｂ）および（ｃ）は緊張後である。
【発明を実施するための形態】
【００１６】
本実施形態では、橋梁上部工のポストテンション桁用外ケーブルに使用するＰＣケーブルについて説明する。
【００１７】
図１に示すように、ポストテンション桁２に配設されたＰＣケーブル１は、複数の偏向部３を利用して、橋長方向に対して蛇行させた状態で配設されているのが一般的である。これは、ポストテンション桁２に対してプレストレス力を有効に作用させることを目的としている。
【００１８】
なお、ポストテンション桁２の形状寸法等は限定されない。また、ポストテンション桁２に形成される偏向部３の配置や個所数は限定されるものではなく、適宜設定すればよい。
さらに、ポストテンション桁２に配設されるＰＣケーブル１の本数も限定されない。
【００１９】
ＰＣケーブル１は、図２の（ａ）に示すように、保護管１０と、複数本（本実施形態では１９本）のＰＣ鋼より線１１，１１，…と、保護管１０とＰＣ鋼より線１１の束との隙間に充填された充填材１２とを備えて構成されている。
なお、ＰＣケーブル１に内挿されるＰＣ鋼より線の本数は限定されない。
【００２０】
保護管１０は、いわゆるシース管や外套管であって、複数本のＰＣ鋼より線１１，１１，…の束を内挿している。
【００２１】
本実施形態のＰＣ鋼より線１１は、図３に示すように、被覆部材１３により被覆されている。
被覆部材１３は、断面形状が正六角形を呈している。つまり、被覆部材１３により被覆されたＰＣ鋼より線１１は、六角柱状に形成されている。
【００２２】
被覆部材１３のＰＣ鋼より線１１への被覆方法は限定されるものではないが、本実施形態では、以下に示す手順により行う。
【００２３】
まず、液状の被覆材が貯留された容器内に、ＰＣ鋼より線１１を潜らせることでＰＣ鋼より線１１の表面に被覆材を付着させる。
続いて、被覆材が付着したＰＣ鋼より線１１を六角形状の孔を有する型材を通過させることで、断面六角形状にする。
【００２４】
なお、本実施形態では、被覆部材１３の外形が正六角形の場合について説明するが、被覆部材１３の外形は限定されるものではなく、例えば、正三角形や正方形であってもよい。
【００２５】
図２の（ａ）に示すように、保護管１０内において、ＰＣ鋼より線１１は、隣り合う他のＰＣ鋼より線１１と側面同士を突き合わせた状態で束ねられている。
ＰＣ鋼より線１１は、同一断面形状の正六角形の側面同士を突き合わせているため、隙間なく束ねられている。
【００２６】
保護管１０とＰＣ鋼より線１１との隙間には、必要に応じてセメントグラウト等の充填材１２を充填する。
【００２７】
本実施形態のＰＣケーブル１によれば、ＰＣ鋼より線１１が被覆部材１３により被覆されることで正六角柱状に形成されているため、ＰＣ鋼より線１１を束ねた際に、隙間なく束ねることができ、緊張後の形状も安定している。そのため、設計で意図する断面力をポストテンション桁２に作用させることができ、高品質施工が可能となる。
【００２８】
つまり、図２の（ａ）に示す緊張前のＰＣ鋼より線１１の束の形状および配置を、図２の（ｂ）に示すように緊張後も維持することを可能としている。
そのため、緊張作業により位置がずれて不均等に配設されてしまう従来のＰＣケーブル１００（図４の（ｂ）参照）の問題点を解消することができる。
【００２９】
また、ＰＣ鋼より線が偏ることによって緊張力が断面内で不均一となることを防止し、高品質に緊張力を導入することができる。
【００３０】
また、隙間なく束ねられたＰＣ鋼より線１１の束は、緊張力を導入してもねじれが生じることがなく、ＰＣ鋼より線同士の位置関係が延長方向で変化することものない。
【００３１】
つまり、図２の（ａ）に示す緊張前のＰＣ鋼より線１１ａ，１１ｂ，１１ｃの位置は、図２の（ｂ）に示すように、緊張後もＰＣ鋼より線１１の束内において同じ位置関係を示している。
一方、従来のＰＣケーブル１００は、緊張力導入の順番や内部摩擦等の影響により、ＰＣ鋼より線１１１ａ，１１１ｂ，１１１ｃの位置関係が、緊張前（図４の（ａ）参照）と緊張後（図４の（ｃ）参照）で変化してしまう場合があり、その結果、延長方向でＰＣ鋼より線同士の位置関係が変化してしまう。
【００３２】
延長方向でＰＣ鋼より線１１同士の位置関係が変化すると、断面内における緊張力の均一性を確保するのが困難となるが、本実施形態のＰＣケーブル１はＰＣ鋼より線１１同士の位置関係を維持するため、断面内における緊張力が均一となり、必要な断面力を確保することができる。
【００３３】
ＰＣ鋼より線１１の束の形状および配置は延長方向で変化しないため、保護管１０との隙間も一定である。そのため、保護管１０とＰＣ鋼より線１１の束との隙間への充填材１２の充填を高品質に行うことができる。保護管１０とＰＣ鋼より線１１の束との間に空隙が残存していると、ＰＣケーブル１の長期的な耐久性が損なうおそれがあるが、充填材１２の充填を高品質に行うことで、長期的な耐久性に優れたＰＣケーブル１を形成することができる。
【００３４】
また、ＰＣ鋼より線１１を束ねるだけで、ＰＣ鋼より線１１の位置決めが完了するため、施工性にも優れている。
また、被覆部材１３が樹脂により構成されているため、ＰＣ鋼より線１１との密着性、ＰＣ鋼より線１１に緊張力を導入した際のＰＣ鋼より線１１に追従する伸縮性、および、他のＰＣ鋼より線１１との密着性に優れている。
【００３５】
以上、本発明に係る実施形態について説明した。しかし、本発明は、前述の実施形態に限られず、前記の各構成要素については、本発明の趣旨を逸脱しない範囲で、適宜変更が可能である。
【００３６】
前記実施形態では、橋梁上部工のポストテンション桁用外ケーブルに、本発明のＰＣケーブルを使用する場合について説明したが、ＰＣケーブルの用途は限定されるものではなく、例えば、斜長橋の斜ケーブルとして使用してもよい。
【００３７】
また、前記実施形態では、同一断面形状のＰＣ鋼より線同士を束ねることとしたが、ＰＣ鋼より線は、必ずしも同一断面形状である必要はない。例えば、正八角形断面のＰＣ鋼より線と正方形断面のＰＣ鋼より線とを組み合わせることで隙間なく束ねてもよい。
【符号の説明】
【００３８】
１    ＰＣケーブル
１０  保護管
１１  ＰＣ鋼より線
１３  被覆部材
【図１】
2014224379.tif 000003
【図２】
2014224379.tif 000004
【図３】
2014224379.tif 000005
【図４】
2014224379.tif 000006